(57)【要約】【課題】不在時の電話着信に対してセキュリティが維持される電話機を提供する。【解決手段】電話機７００を構成する制御部７４０が実行する処理は、電話番号が電話帳に登録されていない場合に（ステップＳ１０３０にてＮＯ）、不特定の発信者から着信があったことを通知する信号を生成するステップ（Ｓ１０７０）と、生成した信号を登録先に転送するステップ（Ｓ１０８０）と、電話機７００による発呼動作を継続するステップ（Ｓ１０９０）とを含む。【選択図】図１０
2009147706.tif 000002
【特許請求の範囲】
【請求項１】
電話機に接続されるアダプタ装置であって、
通信回線に接続されて電話の着信を受ける受信部と、
前記電話機に発呼信号を送出する送信部と、
電話の発信者を特定するためのデータが含まれる電話帳データと、予め設定された連絡先とを格納する記憶部と、
前記通信回線を介して電話の着信を受けると、前記電話帳データに基づいて、前記電話機と前記予め設定された連絡先とのいずれかに電話の着信を通知する制御部とを備える、アダプタ装置。
【請求項２】
前記制御部は、
着信を受けた電話の発信者が前記電話帳データに含まれているか否かを判定し、
前記発信者が前記電話帳データに含まれている場合には、前記着信を受けた電話によって指定されている電話番号を発呼し、
前記発信者が前記電話帳データに含まれていない場合には、前記予め設定された連絡先に、電話の着信を通知するための信号を送信する、請求項１に記載のアダプタ装置。
【請求項３】
前記電話機は、留守番電話機能を有しており、
前記発信者が前記電話帳データに含まれていない場合には、前記制御部は、前記留守番電話機能の作動を禁止させるための制御信号を、前記電話機に送信する、請求項２に記載のアダプタ装置。
【請求項４】
前記電話の着信を通知するための信号は、電子メールと、電話を発呼するための信号とのいずれかを含む、請求項２または請求項３に記載のアダプタ装置。
【請求項５】
前記連絡先は、前記アダプタ装置と通信可能な電話機の電話番号と、通信端末のメールアドレスとのいずれかを含む、請求項１から請求項４のいずれかに記載のアダプタ装置。
【請求項６】
電話機であって、
通信回線に接続されて電話の着信を受け付ける受信部と、
電話の発信者を特定するためのデータが含まれる電話帳データと、予め設定された連絡先とを格納する記憶部と、
電話の着信を受けたことに応答して、前記電話帳データに基づいて、前記電話機と前記予め設定された連絡先との間で発呼先を切り替える制御部とを備える、電話機。
【請求項７】
前記制御部は、
着信電話の発信者が前記電話帳データに含まれているか否かを判定し、
前記発信者が前記電話帳データに含まれている場合には、当該電話機の電話番号を発呼し、
前記着信電話の発信者が前記電話帳データに含まれていない場合には、前記予め設定された連絡先に、電話の着信を通知するための信号を送信する、請求項６に記載の電話機。
【請求項８】
前記電話の着信を通知するための信号は、電子メールと、電話を発呼するための信号とのいずれかを含む、請求項７に記載の電話機。
【請求項９】
当該電話機の発呼に対する応答がない場合に予め記録された音声に基づいて応答するように構成された留守番電話手段をさらに備える、請求項６から請求項８のいずれかに記載の電話機。
【請求項１０】
前記着信電話の発信者が前記電話帳データに含まれていない場合に、前記制御部は、前記留守番電話手段の作動を禁止して発呼を継続する、請求項９に記載の電話機。
【請求項１１】
前記連絡先は、前記電話機と通信可能な電話機の電話番号と、前記通信回線に接続されている通信端末の電子メールアドレスとのいずれかを含む、請求項６から請求項１０のいずれかに記載の電話機。
【発明の詳細な説明】
【技術分野】
【０００１】
本発明はセキュリティ技術に関し、特に、予め登録されていない相手から電話の着信を留守中に受けた場合にセキュリティを維持する技術に関する。
【背景技術】
【０００２】
留守番電話は、当該使用者が不在である場合に発信者からのメッセージを受けることができるが、その一方、当該使用者が不在であることが発信者に知られる。そのため、侵入者は、ある家屋に不法侵入するまえに、その家屋に電話をかけて、留守であるか否かを判断し、留守番電話が応答することを確認した上で、不法侵入するということもあり得る。
【０００３】
そこで、たとえば、特開平１１−１６８５５０号公報（特許文献１）は、発呼者電話番号表示サービスを留守番機能にリンクさせることで空き巣狙いに犯行を断念させることが可能な留守番機能付き電話機を開示している。当該電話機によると、制御回路７は、セットボタン３により留守番電話モードが指定されている時に、発呼者電話番号判別回路５から発呼者電話番号が入力されない場合、録音再生回路４による応答メッセージの送出を禁止する（要約参照）。
【０００４】
当該発明によると、「発呼者電話番号は交換機側において認識され、ベル信号に続いて電話回線に送出され被呼者の留守番機能付き電話機で受信される。しかし、現行の発呼者電話番号表示サービスによると、発呼者が公衆電話を利用した場合などには発呼者電話番号は電話回線に送出されない。したがって、被呼者（住人）の留守番機能付き電話機が留守番電話モードにセットされている時に、発呼者（空き巣狙い）が公衆電話を利用して住人の不在を確認しようとした場合、被呼者（住人）の本発明による留守番機能付き電話機においては、発呼者電話番号を確認できないため通常電話モードから留守番電話モードへの移行が禁止され通常電話モードが継続されることになる。すなわち、発呼者（空き巣狙い）に対し応答メッセージが送出されず、発呼者（空き巣狙い）は呼出音のみを継続して聞くことになる。このため、発呼者（空き巣狙い）は、被呼者（住人）が不在であるのか多忙中にて電話に応対できないのか判断することができず、犯行を断念する」ことになる（段落０００８）。そして、「いたずら電話の場合にも発呼者電話番号が確認できない場合が多く通常電話モードが継続され用件メッセージの録音が行なわれないため、いたずら電話にも有効な対策」となる（段落０００９）。
【０００５】
また、特開平５−１３６８６６号公報（特許文献２）は、特定の相手からのメッセージのみを録音する留守番電話を開示している。当該留守番電話によると、操作部１１により特定の相手の名前を名前登録回路８ｃに登録する。受信した相手の名前を音声分析回路８ａで分析し、比較回路８ｂにおいて比較し登録した名前と受信した名前が一致した場合は、音声認識制御手段１０ｃ，スイッチ制御手段１０ｇ，用件録音再生制御手段１０ｂを介して用件録音再生処理回路９を動作させメッセージを録音する（要約参照）。
【０００６】
また、特開平７−１４３２２０号公報（特許文献３）は、外部電話機からの着信に対して留守を分かりにくくする」留守番電話機を開示している。当該留守番電話機によると、留守番モードとしたとき、発信者側から送出される着信信号が着信検出回路２によって検出されると信号制御部４２ｃがカウンタ２２ｄで計数した着信回数に１をプラスし、その１をプラスした着信回数の値に基づいてＲＯＭ２２ａの複数の記憶領域（ＲＡ1〜ＲＡX）、およびＲＡＭ２２ｂから一つの記憶領域を選択する。そして、音声処理部５ａとメモリ制御部２１ｃとを制御し、選択した記憶領域に記憶されている応答メッセージを読み出し、所定の信号処理を行った後、電話回線に発信する（要約参照）。
【０００７】
また、特開平６−１５２７２９号公報（特許文献４）は、特定の発呼者に対しては特定の応答メッセージを送出し、その上で用件録音を行うことのできる留守録機能付電話機を開示している。この留守録機能付電話機によると、コードメモリ９に、特定の発呼者を識別する個人識別コードを予め登録し、また応答メッセージ録音装置６には、不特定の発呼者に対する通常応答メッセージと共に、特定の発呼者に対する特定応答メッセージを予め録音しておく。そして自動着信時に、マイクロコンピュータ８により、通常応答メッセージを電話回線へ送出させるとともに、ＤＴＭＦレシーバー回路１０が、予め登録された個人識別コードに合致する個人識別コードを受信した場合には、特定応答メッセージを、通常応答メッセージに代えてまたは通常応答メッセージに加えて電話回線へ送出させる。さらにその後で用件録音を行わせる（要約参照）。
【０００８】
さらに、特開平１１−１１２６１８号公報（特許文献５）は、特定の人からの着信に対して特別の処理を行う通信端末を開示している。この通信端末は、特定発信者の電話番号データが記憶される記憶手段１と、回線９に着信があった場合に、発信者を検出する発信者検出手段２と、この発信者検出手段２の検出結果と前記記憶手段１に記憶されているデータとに基づき、特定発信者からの着信であるか否かを検出する特定着信検出手段３と、着信に応答したか否かを監視する着信応答監視手段４と、情報を可視表示する表示手段７と、前記特定着信検出手段３により特定発信者からの着信であることが検出されたときに、前記着信応答監視手段４が不応答を検出すると、前記表示手段７に特定発信者からの着信がなされた旨を表示する表示制御手段６とを具備する（要約参照）。
【特許文献１】特開平１１−１６８５５０号公報
【特許文献２】特開平５−１３６８６６号公報
【特許文献３】特開平７−１４３２２０号公報
【特許文献４】特開平６−１５２７２９号公報
【特許文献５】特開平１１−１１２６１８号公報
【発明の開示】
【発明が解決しようとする課題】
【０００９】
しかしながら、上記の各技術によると、不在者は、不特定の発信者から電話を受けていることを知ることができない場合があり、セキュリティが十分に維持されない場合があった。
【００１０】
本発明は、上述のような問題点を解決するためになされたものであって、その目的は、不特定の相手から電話を受けた場合にセキュリティを維持するために電話機に接続されるアダプタ装置を提供することである。
【００１１】
他の目的は、不特定の相手から電話を受けた場合にセキュリティを維持できる電話機を提供することである。
【課題を解決するための手段】
【００１２】
上記の課題を解決するために、この発明のある局面に従うと、電話機に接続されるアダプタ装置が提供される。このアダプタ装置は、通信回線に接続されて電話の着信を受ける受信部と、電話機に発呼信号を送出する送信部と、電話の発信者を特定するためのデータが含まれる電話帳データと、予め設定された連絡先とを格納する記憶部と、通信回線を介して電話の着信を受けると、電話帳データに基づいて、電話機と予め設定された連絡先とのいずれかに電話の着信を通知する制御部とを備える。
【００１３】
好ましくは、制御部は、着信を受けた電話の発信者が電話帳データに含まれているか否かを判定し、発信者が電話帳データに含まれている場合には、着信を受けた電話によって指定されている電話番号を発呼し、発信者が電話帳データに含まれていない場合には、予め設定された連絡先に、電話の着信を通知するための信号を送信する。
【００１４】
好ましくは、電話機は、留守番電話機能を有している。発信者が電話帳データに含まれていない場合には、制御部は、留守番電話機能の作動を禁止させるための制御信号を、電話機に送信する。
【００１５】
好ましくは、電話の着信を通知するための信号は、電子メールと、電話を発呼するための信号とのいずれかを含む。
【００１６】
好ましくは、連絡先は、アダプタ装置と通信可能な電話機の電話番号と、通信端末のメールアドレスとのいずれかを含む。
【００１７】
この発明の他の局面に従う電話機は、通信回線に接続されて電話の着信を受け付ける受信部と、電話の発信者を特定するためのデータが含まれる電話帳データと、予め設定された連絡先とを格納する記憶部と、電話の着信を受けたことに応答して、電話帳データに基づいて、電話機と予め設定された連絡先との間で発呼先を切り替える制御部とを備える。
【００１８】
好ましくは、制御部は、着信電話の発信者が電話帳データに含まれているか否かを判定し、発信者が電話帳データに含まれている場合には、当該電話機の電話番号を発呼し、着信電話の発信者が電話帳データに含まれていない場合には、予め設定された連絡先に、電話の着信を通知するための信号を送信する。
【００１９】
好ましくは、電話の着信を通知するための信号は、電子メールと、電話を発呼するための信号とのいずれかを含む。
【００２０】
好ましくは、電話機は、当該電話機の発呼に対する応答がない場合に予め記録された音声に基づいて応答するように構成された留守番電話手段をさらに備える。
【００２１】
好ましくは、着信電話の発信者が電話帳データに含まれていない場合に、制御部は、留守番電話手段の作動を禁止して発呼を継続する。
【００２２】
好ましくは、連絡先は、電話機と通信可能な電話機の電話番号と、通信回線に接続されている通信端末の電子メールアドレスとのいずれかを含む。
【発明の効果】
【００２３】
本発明によると、不特定の相手から電話を受けた場合に不在であることを当該相手に知られることを防止することができる。
【発明を実施するための最良の形態】
【００２４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２５】
＜第１の実施の形態＞
図１を参照して、本発明の第１の実施の形態に係るアダプタ装置１００について説明する。図１は、アダプタ装置１００の使用態様を表わす図である。アダプタ装置１００は、電話機１１０に接続されている。また、アダプタ装置１００は、ゲートウェイ装置（図示しない）を介してインターネット１２０に接続されている。インターネット１２０には、ＳＩＰ（Session Initiation Protocol）サーバ１３０と基地局１５０とが接続されている。ＳＩＰサーバ１３０には、他のネットワークを介して家１４０に含まれる電話機１４２が接続されている。基地局１５０は、たとえば携帯電話機１６０に電話の着信を通知する信号あるいは電子メールを発信する。ＳＩＰサーバ１３０は、ＩＰ（Internet Protocol）電話サービスを提供する。
【００２６】
アダプタ装置１００がＩＰ電話による発信動作を開始すると、ＩＰ電話のための接続要求をＳＩＰサーバ１３０に送信する。接続要求は、電話着信の通知先として登録されている連絡先（たとえば、携帯電話機１６０の電話番号、電子メールアドレス等）を含む。ＳＩＰサーバ１３０は、その接続要求に応答して、アダプタ装置１００と携帯電話機１６０との間の通信セッションを形成する。当該通信セッションの形成は当業者にとって容易に理解できるものである。したがって、詳細な説明は繰り返さない。
【００２７】
着信を通知する信号が、携帯電話機１６０に受信されると、携帯電話機１６０は、当該信号の受信を通知するために予め選択されたパターンに従って、発呼し、あるいは、ライトを点滅させ、あるいは振動する。電子メールは、着信を通知する情報として、たとえば、当該電話の電話番号、着信を受けた日時等を含む。
【００２８】
図２を参照して、本発明の実施の形態に係るアダプタ装置１００の構成について説明する。図２は、アダプタ装置１００によって実現される機能の構成を表わすブロック図である。アダプタ装置１００は、ネットワーク受信部２１０と、制御部２２０と、入力部２３０と、記憶部２４０と、ネットワーク送信部２５０と、送信部２６０とを含む。
【００２９】
ネットワーク受信部２１０は、インターネット１２０を用いて構成される通信回線に接続されて電話の着信を受ける。
【００３０】
入力部２３０は、アダプタ装置１００に対するデータの入力を受け付ける。ある局面において、入力部２３０は、タッチパネル式のボタンその他のスイッチとして実現される。他の局面において、入力部２３０は、アダプタ装置１００に与えられる制御信号の入力を受けるインターフェイスとしても実現され得る。
【００３１】
送信部２６０は、ネットワーク受信部２１０によって受け付けられた電話の着信に基づき、電話機１１０に発呼信号を送出する。
【００３２】
記憶部２４０は、電話の発信者を特定するためのデータが含まれる電話帳データと、予め設定された連絡先とを格納している。当該連絡先は、たとえば、携帯電話機１６０の電話番号あるいはメールアドレスであるが、これらに限られない。少なくとも、登録された連絡先である携帯電話機１６０に着信を通知するためのデータであればよい。
【００３３】
ネットワーク送信部２５０は、上記連絡先に対して電話の着信を通知するための信号を送信する。
【００３４】
制御部２２０は、アダプタ装置１００の動作を制御する。より詳しくは、制御部２２０は、通信回線を介して電話の着信を受けると、記憶部２４０に格納されている電話帳データに基づいて、電話機１１０と予め設定された連絡先（たとえば携帯電話機１６０）等のいずれかに電話の着信を通知する。
【００３５】
ある局面において、制御部２２０は、着信を受けた電話の発信者が当該電話帳データに含まれているか否かを判定する。制御部２２０は、その発信者が電話帳データに含まれている場合には、着信を受けた電話によって指定されている電話番号（電話機１１０の電話番号）を発呼する。制御部２２０は、当該発信者が電話帳データに含まれていない場合には、予め設定された連絡先（携帯電話機１６０）に、電話の着信を通知するための信号を送信する。この信号は、携帯電話機１６０に予め割り当てられている電子メールと、携帯電話機１６０を発呼するための信号との少なくともいずれかを含む。
【００３６】
好ましくは、連絡先は、携帯電話機１６０の電話番号と、携帯電話機１６０電子メールアドレスとの少なくともいずれであるが、これらに限られない。転送先をネットワーク１２０において特定するためのデータであればよい。このようなデータは、たとえば、ＳＩＰサーバ１３０に登録されていてもよい。この場合、アダプタ装置１００は、ＳＩＰサーバ１３０を介して、不特定の相手からの電話の着信を受けたことを携帯電話機１６０に通知することになる。
【００３７】
図３を参照して、制御部２２０の構成について説明する。図３は、制御部２２０によって実現される機能の構成を表わすブロック図である。制御部２２０は、取得部３１０と、判定部３２０と、パケット生成部３３０とを含む。
【００３８】
取得部３１０は、ネットワーク受信部２１０によって受けられた電話の着信信号から電話番号を抽出し、その抽出した電話番号を判定部３２０に送出する。
【００３９】
判定部３２０は、その抽出された電話番号と、記憶部２４０に格納されている電話帳データとに基づいて、着信を受けた電話の発信者が電話帳データに含まれているか否かを判定する。その発信者が電話帳データに含まれている場合には、判定部３２０は、その着信を受けた電話によって指定されている電話番号を発呼するための信号を出力する。
【００４０】
パケット生成部３３０は、当該発信者が電話帳データに含まれていないとの判断の結果に基づいて、電話の着信を通知するための信号を生成し、その信号を上記の連絡先に送信する。着信を通知するための信号は、たとえば周知の構成を有するパケットデータとして実現される。
【００４１】
図３に示される構成は、ある局面において、ＣＰＵ（Central Processing Unit）その他のプロセッサが、各機能を実現するために構成されたプログラムを実行することにより実現される。あるいは、他の局面において、その一部または全部が当該機能を実現するために構成された回路素子のようなハードウェアとしても実現可能である。
【００４２】
次に、図４を参照して、アダプタ装置１００のデータ構造について説明する。図４は、記憶部２４０におけるデータの格納の一態様を概念的に表わす図である。記憶部２４０は、たとえばフラッシュメモリその他の不揮発性のメモリとして実現される。
【００４３】
記憶部２４０は、データを格納するための複数の領域を含む。電話帳は、領域４１０，４２０，４３０に格納されているデータを含む。電話帳は、他の項目をデータとして含むものであってもよい。
【００４４】
アダプタ装置１００の使用者によって入力される発信者の名前は、領域４１０に格納されている。その発信者の電話番号は、領域４２０に格納されている。その発信者の電話機のネットワーク上のアドレス（たとえばＩＰアドレス）は、領域４３０に格納されている。なお、ＩＰ電話機能を有さない電話機の場合には、この領域の値はＮＵＬＬとなる。
【００４５】
また、予め設定された連絡先を表わすデータは、領域４４０，４５０に格納されている。連絡先を特定するためのデータは、領域４４０に格納されている。このデータは、たとえばデータの入力に応じて予め割り当てられる番号、あるいは、アダプタ装置１００の使用者によって入力される文字データなどを含む。
【００４６】
連絡先の電話番号は、領域４５０に格納されている。また、着信を通知する態様が電話の発呼ではなくて、電子メールの送信である場合には、当該連絡先が有する電子メールのアドレスがさらに格納されてもよい。
【００４７】
図５を参照して、本実施の形態に係るアダプタ装置１００の制御構造について説明する。図５は、アダプタ装置１００の制御部２２０が実行する処理の手順の一部を表わすフローチャートである。
【００４８】
ステップＳ５１０にて、制御部２２０は、ネットワーク受信部２１０から送られる信号に基づいて、電話機１１０に対する電話の着信を検知する。
【００４９】
ステップＳ５２０にて、制御部２２０は、取得部３１０として、その着信の信号から電話番号を取得する。
【００５０】
ステップＳ５３０にて、制御部２２０は、判定部３２０として、その電話番号が電話帳に登録されているか否かを判定する。この判定は、ネットワーク受信部２１０から送られた信号と、記憶部２４０に格納されている電話帳データとを比較することにより行なわれる。制御部２２０は、その電話番号が電話帳に登録されていると判定すると（ステップＳ５３０にてＹＥＳ）、制御をステップＳ５６０に切り換える。そうでない場合には（ステップＳ５３０にてＮＯ）、制御部２２０は、制御をステップＳ５４０に切り換える。
【００５１】
ステップＳ５４０にて、制御部２２０は、パケット生成部３３０として、着信を通知するための信号を生成する。ある局面において、制御部２２０は、そのような着信を通知するために予め定められた制御コードが含まれる信号を生成する。他の局面において、制御部２２０は、電子メールを生成してもよい。たとえば、この局面に従う電子メールは、不特定の発信者から電話の着信を受けたことを示すメッセージと、その着信を示す日時とを含む。
【００５２】
ステップＳ５５０にて、制御部２２０は、その生成した信号を予め設定された連絡先に送信する。たとえば、連絡先としての携帯電話機１６０がその信号を受信すると、携帯電話機１６０のディスプレイ装置は、電話機１００における電話の着信を通知するメッセージを表示する。あるいは、携帯電話機１６０は、不特定の相手から着信を受けたことを通知するパターンとして予め選択されたパターンに基づいて、バイブレータ（図示しない）を振動させてもよい。他の局面において、制御部２２０が不在を通知する内容を含む電子メールを携帯電話機１６０に送信した場合には、携帯電話機１６０はそのような電子メールを受信したことを示すアイコンを表示し、電子メールを閲覧する操作に基づいて本文を表示する。この場合、上述のように、本文は、たとえば不特定多数からの着信を受けたことを示すメッセージと、着信日時とを含む。
【００５３】
ステップＳ５６０にて、制御部２２０は、発呼信号を電話機１１０に送信する。電話機１１０は、発呼動作をするとともに、留守番電話機能が有効に設定されている場合には、予め設定された時間が経過した後、当該留守番電話機能を実行し始める。
【００５４】
ここで、図６を参照して、本実施の形態に係るアダプタ装置１００が送信するパケット６００について説明する。図６は、パケット６００の構成を概念的に表わす図である。パケット６００は、宛先ヘッダ６１０と、送信元ヘッダ６２０と、音声データ６３０とを含む。パケット６００が予め設定された連絡先である携帯電話機１６０によって受信されると、携帯電話機１６０は、パケット６００から音声データ６３０を取り出し、その音声データに基づいて電話機１１０に対する発呼を通知する。
【００５５】
なお、他の局面において、パケット６００は、音声データ６３０に代えて、電話の着信を受けていることを通知する電子メールの内容を含んでもよい。たとえば、アダプタ装置１００は、上記の内容を含む電子メールを生成し、予め登録された連絡先である携帯電話機１６０にその電子メールを送信する。電子メールの内容は、着信を受けていることを表わすテキストメッセージと、着信を受けた日時とを含む。
【００５６】
以上のようにして、本発明の第１の実施の形態に係るアダプタ装置１００は、電話の着信を受ける可能性のある相手先を特定するためのデータと、電話の連絡先とを格納している。アダプタ装置１００は、当該相手先以外から電話の着信を受けていることを検知すると、連絡先にその旨を知らせるとともに、着信を受けている当該電話機は発呼し続ける。このようにすると、アダプタ装置１００の使用者が外出等により不在であっても、電話機が呼び出し音を発し続けるため、当該使用者が留守ではなく、たまたま電話機に出られないだけである旨を発信者に認識させることができる。また、当該使用者は、外出先で、不特定の発信者から電話の着信を受けていることを知ることができる。これにより、留守であることを不特定者に知られることを防止することができる。
【００５７】
なお、他の局面において、不特定者からの着信の通知を受けた連絡先の携帯電話機１６０の使用者（アダプタ装置１００の使用者）は、その通知に応答して、当該不特定者からの電話に応答する構成がさらに追加されてもよい。この場合、当該携帯電話機１６０の使用者は、外出先においても、不特定者からの電話に応答できるため、留守であることを容易に知られなくすることができる。
【００５８】
なお、他の局面において、アダプタ装置１００が電話機１００の有する留守番電話機能の作動を禁止させてもよい。この場合、電話機１００は、外部から与えられる制御信号に基づいて留守番電話機能の有効と無効とを切り換えることができる。
【００５９】
より詳しくは、電話番号が電話帳に登録されていない場合（ステップＳ５３０にてＮＯ）、アダプタ装置１００は、発呼信号を電話機１００に送信する構成（ステップＳ５６０）に代えて、電話機１００の有する留守番電話機能の作動を禁止する信号を生成し、その信号を電話機１００に送信する。
【００６０】
電話機１００は、その信号を受信すると、留守番電話機能の作動を制御する管理テーブルに、その信号の内容を書き込む。これにより、電話機１００の留守番電話機能は無効に設定されるため、電話機１００は留守番電話を作動させることなく、発呼し続ける。その結果、発信者は、電話機１００の呼出音を聞く発信者は、相手は電話機１００に一時的に出られないだけであって不在ではないと考え、不法な侵入を防止することができる。
【００６１】
＜第２の実施の形態＞
以下、本発明の第２の実施の形態について説明する。本実施の形態においては、アダプタ装置と電話機とが一体となっている点で、前述の第１の実施の形態と異なる。
【００６２】
まず、図７を参照して、本発明の第２の実施の形態に係る電話機７００について説明する。図７は、電話機７００の使用態様を表わす図である。電話機７００は、インターネット１２０に接続可能に構成されている。電話機７００は、ＶｏＩＰ（Voice over IP）電話機能を有する。
【００６３】
図８を参照して、電話機７００の構成について説明する。図８は、電話機７００によって実現される機能の構成を表わすブロック図である。電話機７００は、受信部７１０と、操作部７２０と、送信部７３０と、制御部７４０と、記憶部７５０と、留守番電話部７６０と、発呼部７７０と、音声出力部７８０とを含む。
【００６４】
受信部７１０は、通信回線に接続されて、インターネット１２０を介して送られた電話の着信を受け付ける。受信部７１０が受けた信号は、制御部７４０に送出される。
【００６５】
操作部７２０は、電話機７００に対する操作の入力を受け付ける。操作部７２０は、たとえば、タッチパネル、ダイヤル、ボタンその他のスイッチとして実現される。また他の局面において、操作部７２０は、リモコン信号を受信する受光器として実現され得る。
【００６６】
送信部７３０は、上記通信回線に接続されて、電話機７００に対する電話の着信を表わす信号を送信する。その信号の送信先は、たとえば、連絡先として予め設定された携帯電話機１６０である。
【００６７】
制御部７４０は、受信部７１０から送られる信号、あるいは操作部７２０を介して受け付けられた操作命令等に基づいて、電話機７００の動作を制御する。より詳しくは、制御部７４０は、受信部７１０が電話の着信を受けたことに応答して、電話機７００と予め設定された連絡先（携帯電話機１６０）との間で、発呼先を切り換える。
【００６８】
記憶部７５０は、電話の発信者を特定するためのデータが含まれる電話帳データと、予め設定された連絡先とを格納している。さらに、記憶部７５０は、受信部７１０を介して送られた音声データを格納する。
【００６９】
留守番電話部７６０は、予め定められた時間内に電話機７００の発呼に対する応答がない場合に予め記録された音声に基づいて応答するように構成されている。予め記録された音声は、記憶部７５０に格納されている。
【００７０】
発呼部７７０は、制御部７４０からの命令に応答して、記憶部７５０に格納されているデータに基づき、電話機７００に対する着信を通知する発呼動作を実行する。より詳しくは、発呼部７７０は、音声を発生するための信号を音声出力部７８０に送信する。
【００７１】
音声出力部７８０は、発呼部７７０から送られた信号に基づいて音声を出力する。また音声出力部７８０は、記憶部７５０に記録された留守番電話を再生するための信号を受け付けて、録音された音声（発信者の発話）を出力する。
【００７２】
次に、図９を参照して、制御部７４０の構成について説明する。図９は、制御部７４０によって実現される機能の構成を表わすブロック図である。制御部７４０は、取得部３１０と、判定部８２０と、パケット生成部３３０と、留守番電話制御部８４０とを含む。
【００７３】
取得部３１０によって取得された電話番号は、判定部８２０に与えられる。判定部８２０は、記憶部７５０に格納されている電話帳データと、取得部３１０から与えられた電話番号とに基づいて、当該電話の発信者が電話帳データに含まれているか否かを判定する。その発信者が電話帳データに含まれている場合には、判定部８２０は、電話機７００の発呼動作を行なう命令を出力する。この命令は、発呼部７７０に送られる。発呼部７７０は、予め保存されている音声データを読み出して、その音声データに基づき発呼する。
【００７４】
その電話の発信者が電話帳データに含まれていない場合には、判定部８２０は、そのことを示す信号をパケット生成部３３０に送信する。パケット生成部３３０は、その信号に基づいて、電話帳データに登録されていない発信者による着信を受けていることを通知するパケットデータを生成する。パケット生成部３３０は、そのようなパケットデータを生成すると、送信部７３０に向けて送信する。
【００７５】
さらに、留守番電話制御部８４０は、留守番電話部７６０による応答を禁止するための制御信号を生成し、留守番電話部７６０に当該制御信号を送出する。電話機７００において留守番電話機能が作動するように設定されている場合であっても、留守番電話部７６０は、留守番電話機能を実行せず、したがって、電話機７００による自動応答は行なわれなくなる。
【００７６】
一方、電話の着信を受けた場合においてその発信者が電話帳データに含まれており、かつ電話機７００の留守番電話機能が有効に設定されている場合には、判定部８２０による判定の結果は、留守番電話制御部８４０に与えられる。留守番電話制御部８４０は、その入力を受けると、留守番電話部７６０に対して受信する音声を記録するように命令する。留守番電話部７６０は、その命令に基づいて、記憶部７５０に格納されているデータを読み出し、その読み出したデータを音声出力部７８０に送信する。
【００７７】
図９に示される構成は、ある局面において、ＣＰＵその他のプロセッサが、各機能を実現するために構成されたプログラムを実行することにより実現される。あるいは、他の局面において、その一部または全部が当該機能を実現するために構成された回路素子のようなハードウェアとしても実現可能である。
【００７８】
次に、図１０を参照して、本発明の第２の実施の形態に係る電話機７００の制御構造について説明する。図１０は、制御部７４０が実行する一連の動作の一部を表わすフローチャートである。
【００７９】
ステップＳ１０１０にて、制御部７４０は、受信部７１０から送られる信号に基づいて、電話の着信を受けたことを検知する。ステップＳ１０２０にて、制御部７４０は、その着信を受けた信号から電話番号を取得する。
【００８０】
ステップＳ１０３０にて、制御部７４０は、その電話番号が電話帳に登録されているか否かを判定する。たとえば、制御部７４０は、取得した電話番号と、記憶部７５０に格納されている電話番号とを比較することにより、電話番号の登録状態を判定する。制御部７４０は、その電話番号が電話帳に登録されていると判定すると（ステップＳ１０３０にてＹＥＳ）、制御をステップＳ１０４０に切り換える。そうでない場合には（ステップＳ１０３０にてＮＯ）、制御部７４０は、制御をステップＳ１０７０に切り換える。
【００８１】
ステップＳ１０４０にて、制御部７４０は、留守番電話機能が設定されているか否かを判定する。この判定は、たとえば記憶部７５０に格納されている留守番電話機能フラグが有効であるか否かに基づいて行なわれる。制御部７４０は、留守番電話機能が有効に設定されていると判定すると（ステップＳ１０４０にてＹＥＳ）、制御をステップＳ１０５０に切り換える。そうでない場合には（ステップＳ１０４０にてＮＯ）、制御部７４０は、制御をステップＳ１０６０に切り換える。
【００８２】
ステップＳ１０５０にて、制御部７４０は、留守番電話制御部８４０として命令を留守番電話部７６０に送信することにより、留守番電話機能を実際に作動させる。電話機７００は、予め設定された時間発呼し続けた後、メッセージを発信者に求める自動応答を行い、発信者に発話されたメッセージを録音する。
【００８３】
ステップＳ１０６０にて、制御部７４０は、発呼部７７０に命令を送信することにより発呼動作を継続する。なお、他の局面において、電話機７００は、発呼動作に代えて、在宅しているが手が離せないだけである旨の自動応答を行なうものであってもよい。
【００８４】
ステップＳ１０７０にて、制御部７４０は、着信を通知する信号を生成する。信号は、単なる発信音、電子メール、携帯電話機１６０に特定の音声を出力させるために予め規定された制御コード等である。たとえば、電子メールは、第１の実施の形態と同様に、不特定者からの着信を通知するメッセージと、着信を受けた日時とを含み得る。
【００８５】
ステップＳ１０８０にて、制御部７４０は、その生成した信号を予め設定された登録先（たとえば携帯電話機１６０）に送信する。これにより、携帯電話機１６０の使用者は、外出先であっても、電話の着信を知ることができる。そして、制御部７４０は、留守番電話部７６０による留守番電話機能の実行を禁止する。
【００８６】
ステップＳ１０９０にて、制御部７４０は、電話機７００に自動応答させることなく、発呼動作を継続させる。なお、ステップＳ１０９０の動作は、ステップＳ０７０，Ｓ１０８０の動作の前に行なわれてもよい。
【００８７】
以上のようにして、本発明の第２の実施の形態に係る電話機７００は、不特定の発信者（登録されていない発信者）からの電話を受けた場合に、予め登録された連絡先である携帯電話機１６０に、その着信を通知する一方、留守番電話を作動させない。これにより、当該発信者は、電話の相手先が偶然に電話に応答できないだけであって在宅であると認識し得る。これにより、留守中に他人の侵入を防止することができるため、セキュリティを維持することができる。
【００８８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８９】
【図１】本発明の第１の実施の形態に係るアダプタ装置１００の使用態様を表わす図である。
【図２】アダプタ装置１００によって実現される機能の構成を表わすブロック図である。
【図３】制御部２２０によって実現される機能の構成を表わすブロック図である。
【図４】記憶部２４０におけるデータの格納の一態様を概念的に表わす図である。
【図５】アダプタ装置１００の制御部２２０が実行する処理の手順の一部を表わすフローチャートである。
【図６】アダプタ装置１００が送信するパケット６００の構成を概念的に表わす図である。
【図７】本発明の第２の実施の形態に係る電話機７００使用態様を表わす図である。
【図８】電話機７００によって実現される機能の構成を表わすブロック図である。
【図９】制御部７４０によって実現される機能の構成を表わすブロック図である。
【図１０】制御部７４０が実行する一連の動作の一部を表わすフローチャートである。
【符号の説明】
【００９０】
１００  アダプタ装置、１１０  電話機、１２０  インターネット、１３０  ＳＩＰサーバ、１４０  家、１４２  電話機、１５０  基地局、１６０  基地局、６００  パケット、７００  電話機。
【図１】
2009147706.tif 000003
【図２】
2009147706.tif 000004
【図３】
2009147706.tif 000005
【図４】
2009147706.tif 000006
【図５】
2009147706.tif 000007
【図６】
2009147706.tif 000008
【図７】
2009147706.tif 000009
【図８】
2009147706.tif 000010
【図９】
2009147706.tif 000011
【図１０】
2009147706.tif 000012